(57)【要約】【課題】プロジェクターの筐体内の温度が上昇したときに筐体内に収容された記憶媒体が高温に晒されることを防止することができるプロジェクターを提供する。【解決手段】プロジェクター１の筐体２の内部に収納または排出可能なディスクトレイ５８とディスクトレイ５８が筐体２の内部に収納されているときは開口部３を閉塞し、ディスクトレイ５８の一部が筐体２より排出されている場合には、開口部３を開放する排気シャッター９と、ディスクトレイ５８周辺の空気を開口部３より排出させるＤＶＤファン２９とを備える。【選択図】図３
2015025836.tif 000002
【特許請求の範囲】
【請求項１】
光源から射出された光を記憶媒体に記録された画像情報に応じて変調して投写光を投写する画像投写手段と、前記記憶媒体を収容する記憶媒体収容部と、これらを収容する筐体とを有するプロジェクターであって、
前記筐体内部の空気を排出するとともに、前記記憶媒体収容部を前記筐体に収納または前記筐体より排出可能な開口部と、
前記記憶媒体収容部の収納または排出動作に連動し、前記記憶媒体収容部が前記筐体に収納されているときは前記開口部を閉塞し、前記記憶媒体収容部の一部が前記筐体より排出されているときは前記開口部を開放する排気シャッターと、
前記記憶媒体収容部を前記筐体に収納または前記筐体より排出させる搬送手段と、
前記筐体内部の空気を、前記開口部より排出する冷却手段と、
前記筐体内部の温度を計測する温度計測手段と、
前記温度が第１の温度を超えたときに、前記搬送手段により前記記憶媒体収容部の一部を前記筐体より排出させることにより前記開口部を開放させるとともに、前記冷却手段を動作させる制御手段と、
を備えたことを特徴とするプロジェクター。
【請求項２】
請求項１に記載のプロジェクターにおいて、
前記冷却手段が動作していることを報知する報知手段、
をさらに備えたことを特徴とするプロジェクター。
【請求項３】
請求項１または２に記載のプロジェクターにおいて、
前記制御手段は、前記温度が第２の温度より低くなった場合に前記冷却手段の動作を停止させるとともに、前記搬送手段によって前記記憶媒体収容部を前記筐体に収納することにより、前記開口部を閉塞することを特徴とするプロジェクター。
【請求項４】
筐体に設けられた開口部と、前記開口部から前記筐体に収納または前記筐体より排出可能な記憶媒体収容部と、前記記憶媒体収容部に収容された記憶媒体に記録された画像情報に応じ、光源から射出された光を変調して投写光を投写する画像投写手段と、前記記憶媒体収容部の収納または排出動作に連動して前記開口部を閉塞または開放する排気シャッターと、前記筐体内部の空気を前記開口部より排出する冷却手段と、を備えたプロジェクターの制御方法であって、
前記筐体内部の温度を計測する温度計測ステップと、
前記記憶媒体収容部を前記筐体に収納または前記筐体より排出させる搬送ステップと、
前記温度計測ステップにより、前記温度が第１の温度を超えたことを検出したときに、前記搬送ステップにより前記記憶媒体収容部の一部を前記筐体より排出させることにより前記開口部を開放させるとともに、前記冷却手段を動作させる制御ステップと、
を有することを特徴とするプロジェクターの制御方法。
【発明の詳細な説明】
【技術分野】
【０００１】
本発明は、画像を投写するプロジェクターおよびプロジェクターの制御方法に関する。
【背景技術】
【０００２】
従来、画像をスクリーン等の投写面に投写するプロジェクターにおいて、ＤＶＤ（Digital Versatile Disc）等の記憶媒体に記録されている画像情報を再生する画像再生手段と音声を出力するスピーカーを一体的に備えたものが知られている。このようなプロジェクターにおいて、何らかの故障が発生し、筐体内部の温度が上昇した場合には、筐体内部に収容されたＤＶＤ等の記憶媒体が高温に晒される虞があった。
【０００３】
特許文献１には、異常が発生した場合に記憶媒体を排出するプロジェクターが開示されている。このようなプロジェクターによれば、プロジェクターに異常が発生して内部温度が上昇した場合に、記憶媒体を排出し、記憶媒体の温度上昇を防止することができる。
【０００４】
特許文献２には、画像再生装置を冷却する空気を導入する吸気口や、排気ユニット等を備え、画像再生装置を冷却した冷却空気を排気すると共に投射装置を冷却した投射装置冷却空気を排気するプロジェクターが開示されている。このようなプロジェクターによれば、発熱量の多い画像再生装置を備えた場合であっても、画像再生装置の冷却が十分に行える。
【先行技術文献】
【特許文献】
【０００５】
【特許文献１】特開２００７−４７４４２号公報
【特許文献２】特開２００９−４７８２８号公報
【発明の概要】
【発明が解決しようとする課題】
【０００６】
しかしながら、特許文献１のようなプロジェクターでは、異常が発生した場合に、記憶媒体を筐体の外に排出させるので、周囲に誰もおらず、記憶媒体の排出に気が付かないことがある。このため、排出された記憶媒体が周囲の人や物にぶつかることや、記憶媒体にゴミや埃がかかってしまうこと等の虞があった。
また、特許文献２のようなプロジェクターでは、主に画像再生装置の回路ユニット（ＩＣ等）や駆動ユニット（ピックアップ）を冷却する構成であり、画像再生装置に収容される記憶媒体を効率的に冷却することも必要になるという課題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源から射出された光を記憶媒体に記録された画像情報に応じて変調して投写光を投写する画像投写手段と、前記記憶媒体を収容する記憶媒体収容部と、これらを収容する筐体とを有するプロジェクターであって、前記筐体内部の空気を排出するとともに、前記記憶媒体収容部を前記筐体に収納または前記筐体より排出可能な開口部と、前記記憶媒体収容部の収納または排出動作に連動し、前記記憶媒体収容部が前記筐体に収納されているときは前記開口部を閉塞し、前記記憶媒体収容部の一部が前記筐体より排出されているときは前記開口部を開放する排気シャッターと、前記記憶媒体収容部を前記筐体に収納または前記筐体より排出させる搬送手段と、前記筐体内部の空気を、前記開口部より排出する冷却手段と、前記筐体内部の温度を計測する温度計測手段と、前記温度が第１の温度を超えたときに、前記搬送手段により前記記憶媒体収容部の一部を前記筐体より排出させることにより前記開口部を開放させるとともに、前記冷却手段を動作させる制御手段と、を備えたことを特徴とする。
【０００９】
本適用例によれば、プロジェクターの筐体内部の温度が上昇した時に、記憶媒体収容部を筐体より一部排出し、連動して排気シャッターが開口部を開放し、冷却手段により筐体内部の空気を、開放した開口部を介して排出するので、記憶媒体周辺を効果的に冷却し、記憶媒体が高温に晒されるのを防止する。また、記憶媒体収容部が一部しか排出されないので、排出された記憶媒体収容部が周囲の人や物にぶつかることを防止することができる。また、記憶媒体収容部が筐体に収納されているときは開口部が閉塞されているので、筐体内への異物の侵入を防止することができる。
【００１０】
［適用例２］上記適用例に記載のプロジェクターにおいて、前記冷却手段が動作していることを報知する報知手段、をさらに備えることが好ましい。
【００１１】
本適用例によれば、報知手段は、プロジェクターの筐体内部の空気を開口部から排出して記憶媒体を冷却しているときに報知する。つまり、筐体の内部の温度が第１の温度を超えたために、筐体内部の空気を開口部から排出していることをユーザーに報知するので、ユーザーが誤って開口部から排出される熱い空気に触れないように注意を促すことが可能となる。
【００１２】
［適用例３］上記適用例に記載のプロジェクターにおいて、前記制御手段は、前記温度が第２の温度より低くなった場合に前記冷却手段の動作を停止させるとともに、前記搬送手段によって前記記憶媒体収容部を前記筐体に収納することにより、前記開口部を閉塞することが好ましい。
【００１３】
本適用例によれば、プロジェクターの筐体の内部の温度が第２の温度より低くなったとき、記憶媒体収容部を筐体に収容し、開口部を閉塞するので、再度、記憶媒体内の画像情報を再生させることが可能となる。また、記憶媒体が必要以上に冷やされることを防止することができる。
【００１４】
［適用例４］本適用例に係るプロジェクターの制御方法は、筐体に設けられた開口部と、前記開口部から前記筐体に収納または前記筐体より排出可能な記憶媒体収容部と、前記記憶媒体収容部に収容された記憶媒体に記録された画像情報に応じ、光源から射出された光を変調して投写光を投写する画像投写手段と、前記記憶媒体収容部の収納または排出動作に連動して前記開口部を閉塞または開放する排気シャッターと、前記筐体内部の空気を前記開口部より排出する冷却手段と、を備えたプロジェクターの制御方法であって、前記筐体内部の温度を計測する温度計測ステップと、前記記憶媒体収容部を前記筐体に収納または前記筐体より排出させる搬送ステップと、前記温度計測ステップにより、前記温度が第１の温度を超えたことを検出したときに、前記搬送ステップにより前記記憶媒体収容部の一部を前記筐体より排出させることにより前記開口部を開放させるとともに、前記冷却手段を動作させる制御ステップと、を有することを特徴とする。
【００１５】
本適用例によれば、プロジェクターの筐体内部の温度が上昇した時に、記憶媒体収容部を筐体より一部排出し、連動して排気シャッターが開口部を開放し、冷却手段により筐体内部の空気を排出するので、記憶媒体周辺を効果的に冷却し、記憶媒体が高温に晒されるのを防止する。また、記憶媒体収容部が一部しか排出されないので、排出された記憶媒体収容部が周囲の人や物にぶつかることを防止することができる。また、記憶媒体収容部が筐体に収納されているときは開口部が閉塞されているので、筐体内への異物の侵入を防止することができる。
【図面の簡単な説明】
【００１６】
【図１】実施形態に係るプロジェクターの外観斜視図。
【図２】排気シャッターの開閉状態を部分的に示す外観斜視図。
【図３】排気シャッターの開閉状態を部分的に示す断面図。
【図４】実施形態に係るプロジェクターの回路構成を示すブロック図。
【図５】プロジェクターの温度監視処理の動作を示すフローチャート。
【発明を実施するための形態】
【００１７】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
（実施形態）
図１は、本実施形態のプロジェクター１の外観斜視図であり、同図（ａ）はプロジェクター１を斜め後方から見た図、同図（ｂ）はプロジェクター１を斜め前方見た図である。なお、本実施形態では画像を投写する方向を前方として説明する。
【００１９】
図１に示すように、プロジェクター１の筐体２の左面２Ｌには、吸気口７と、左スピーカー４１Ｌとが備えられている。また、筐体２内部の吸気口７の内側には図示しない吸気ファン２７（図４参照）が備えられている。
【００２０】
また、筐体２の右面２Ｒには、排気口８と、右スピーカー４１Ｒとが備えられている。また、筐体２内部の排気口８の内側には図示しない排気ファン２８（図４参照）が備えられている。
【００２１】
また、筐体２の後面２Ｓには入力端子６と、ＤＶＤメディアＭ（図２参照）を筐体２の内部に収納させるためのディスクトレイ５８と、後面２Ｓに設けられた開口部３を開放または閉塞する排気シャッター９と、報知手段２４とが備えられている。またディスクトレイ５８は開口部３より筐体２に収納または排出可能になっており、収納時は排気シャッター９によって覆われる。筐体２内部の排気シャッター９の内側にはＤＶＤファン２９（図３参照）が設けられており、ディスクトレイ５８の周辺の空気を開口部３から排出することで、ＤＶＤメディアＭを冷却可能になっている。
【００２２】
また、筐体２の上面２Ｔには、複数の操作キーから構成されプロジェクター１に各種指示を行うための入力操作手段２３が備えられている。
【００２３】
また、筐体２の前面２Ｆには外部のスクリーンＳＣ（図４参照）等に画像を投写する投写レンズ１３が露出している。
【００２４】
また、吸気口７から吸気ファン２７により取り入れられた空気は、筐体２の内部を冷却後、排気ファン２８により排気口８より排出される。
【００２５】
次に、本実施形態のプロジェクター１の、ディスクトレイ５８の収納および排出動作と、排気シャッター９の開閉動作との連動する様子を図２および図３を用いて説明する。
図２は、プロジェクター１の排気シャッター９の開閉状態と、ディスクトレイ５８の収納および排出状態を部分的に示す外観斜視図であり、同図（ａ）はディスクトレイ５８が筐体２から排出され、排気シャッター９が開口部３を開放した状態を示す図、同図（ｂ）はディスクトレイ５８の一部が筐体２より排出され、排気シャッター９が開口部３を開放した状態を示す図、同図（ｃ）はディスクトレイ５８が筐体２に収納され、排気シャッター９が開口部３を閉塞した状態を示す図である。
【００２６】
図２（ａ）に示すように、ディスクトレイ５８が筐体２より排出された状態では、ＤＶＤメディアＭはディスクトレイ５８に脱着可能である。また、排気シャッター９は開口部３を開放している。なお、ディスクトレイ５８が記憶媒体収容部に相当する。
【００２７】
図２（ｂ）に示すように、ディスクトレイ５８の一部が筐体２より排出されているとき、排気シャッター９は開口部３を開放する。この状態ではＤＶＤメディアＭは大部分筐体２の内部に収容されている。
【００２８】
図２（ｃ）に示すように、ディスクトレイ５８が筐体２に収納されているとき、排気シャッター９は開口部３を閉塞する。
【００２９】
図３は、プロジェクター１の排気シャッター９の開閉状態と、ディスクトレイ５８の収納、および排出状態を部分的に示す断面図あり、同図（ａ）はディスクトレイ５８が筐体２に収納された状態を示す図、同図（ｂ）はディスクトレイ５８が筐体２より排出された状態を示す図である。なお、図３においては図面視で左側が筐体２の後面２Ｓになる。
【００３０】
図３に示すように、排気シャッター９は回転軸９ｄで回動可能になっている。ディスクトレイ５８の奥には、排気シャッター開閉材９ａが備えられ、排気シャッター開閉材９ａは回転軸９ｃで回動可能になっている。また、排気シャッター９と排気シャッター開閉材９ａは排気シャッター開閉棒９ｂで連結されており、排気シャッター開閉材９ａが回動することにより、排気シャッター９が連動して回動し、開口部３を開放または閉塞させる。排気シャッター開閉材９ａはストッパー９ｅにより回動範囲が制限されており、スプリング機構９ｆにより、排気シャッター９を開放する方向に押されている。また、排気シャッター９の奥にはＤＶＤファン２９が備えられている。
【００３１】
図３（ａ）に示すように、ディスクトレイ５８が筐体２に収納されている場合には、ディスクトレイ５８は排気シャッター開閉材９ａの下端を排気シャッター９が閉じる方向に押し込む。これにより、排気シャッター９が回動し、開口部３を閉塞する。
【００３２】
図３（ｂ）に示すように、ディスクトレイ５８の一部が排出されている場合、排気シャッター開閉材９ａは、スプリング機構９ｆにより、排気シャッター９を開く方向に回動し、排気シャッター９は開口部３を開放する。排気シャッター開閉材９ａは、ストッパー９ｅによりこれ以上回動しないので、ディスクトレイ５８を完全に排出した場合も排気シャッター９は図３（ｂ）に示すように開放されたままになる。
【００３３】
このときＤＶＤファン２９が動作し、ディスクトレイ５８周辺の空気を開口部３より排出させる。詳細には、ＤＶＤファン２９により排出される空気がディスクトレイ５８上を流動して開口部３から排出されることにより、ディスクトレイ５８上のＤＶＤメディアＭを冷却する。
なお、ＤＶＤファン２９が冷却手段に相当する。
【００３４】
次に、本実施形態のプロジェクター１の回路構成を、図４のブロック図を用いて説明する。図４は、プロジェクター１の回路構成を示すブロック図である。
【００３５】
図４に示すように、プロジェクター１は、入力端子６、画像投写手段１０、ＯＳＤ処理手段１６、画像信号処理手段１７、信号入力手段１８、制御手段２０、記憶手段２１、光源制御手段２２、入力操作手段２３、報知手段２４、温度計測手段２５、ファン制御手段２６、吸気ファン２７、排気ファン２８、ＤＶＤファン２９、電源端子３０、電源部３１、音声信号処理手段４０、スピーカー４１（左スピーカー４１Ｌ、右スピーカー４１Ｒ）、ＤＶＤ再生手段５０等で構成されており、これらは筐体２の内部または外面に配置されている。
【００３６】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。
【００３７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ対応する液晶ライトバルブ１２Ｒ，１２Ｇ，１２Ｂに入射する。
【００３８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
【００３９】
液晶駆動手段１４が、入力される画像データに応じた駆動電圧を各画素に印加すると、各画素は、画像データに応じた光透過率に設定される。このため、光源１１から射出された光は、この液晶ライトバルブ１２Ｒ，１２Ｇ，１２Ｂを透過することによって変調され、画像データに応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００４０】
本実施形態では、光源として光源ランプ１１ａを用いて投写するプロジェクター１を例示したが、光源としてＬＥＤ（Light emitting diode）光源やレーザー光源などを用いて投写するプロジェクターにも適用することができる。
【００４１】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００４２】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００４３】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
【００４４】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、ＤＶＤメディアＭの              再生を開始させるための再生キー、ＤＶＤメディアＭの再生を停止するための停止キー、ＤＶＤメディアＭを置くディスクトレイ５８を収納または排出させるためのトレイ開閉キー等がある。また、操作キーとしては、複数の入力端子６およびＤＶＤメディアＭから、画像信号の入力元を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー等がある。
【００４５】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と、遠隔操作が可能なリモートコントローラー（図示せず）とを有した構成としてもよい。この場合、リモートコントローラーは、ユーザーの操作内容に応じた赤外線等の操作信号を発し、リモコン信号受信手段がこれを受信して制御情報として制御手段２０に伝達する。
【００４６】
光源制御手段２２は、制御手段２０の指示に基づいて、光源１１に対する電力の供給と停止とを制御し、光源１１の点灯および消灯を切り替える。
【００４７】
信号入力手段１８は、複数の入力端子６より、ビデオ再生装置やパーソナルコンピューター等、外部の画像出力装置から、図示しないケーブル又は通信機器などを介し、画像信号（画像情報ともいう）および音声信号（音声情報ともいう）が入力される。また、ＤＶＤ再生手段５０より画像情報および音声情報が入力される。入力された画像信号および音声信号は、制御手段２０の指示に基づき、画像信号処理手段１７および音声信号処理手段４０に出力される。
【００４８】
ユーザーが入力操作手段２３の入力切替キーを操作して、所望の入力端子６の画像情報またはＤＶＤメディアＭの画像情報を指定すると、制御手段２０は指定された画像情報および音声情報が画像信号処理手段１７および音声信号処理手段４０に出力されるよう、信号入力手段１８に指示をする。なお、信号入力手段１８は、無線通信や光通信などの受信部を備え、外部機器から無線によって信号を入力する構成にしてもよい。
【００４９】
ＤＶＤ再生手段５０は、ＤＶＤメディアＭに記録された画像情報および音声情報を再生するものである。
また、ＤＶＤ再生手段５０は、トレイ搬送手段５２、装着センサー５３、データ読取手段５４、データ処理手段５５、ディスクトレイ５８等を含んで構成されている。
【００５０】
トレイ搬送手段５２は、搬送手段に相当するものである。トレイ搬送手段５２は、ＤＶＤメディアＭを置くディスクトレイ５８を搬送するための搬送ローラー、および搬送ローラーを回転駆動する駆動モーター（いずれも図示せず）等によって構成され、制御手段２０の指示に基づいて、ＤＶＤ再生手段５０内におけるディスクトレイ５８の搬送を行う。
【００５１】
具体的には、ディスクトレイ５８が筐体２に収納され、ＤＶＤメディアＭが置かれていない状態で、ユーザーが入力操作手段２３のトレイ開閉キーを操作すると、制御手段２０は、トレイ搬送手段５２に指示をしてディスクトレイ５８を筐体２から排出させる（図２（ａ）に示す状態）。次にユーザーがＤＶＤメディアＭをディスクトレイ５８上に置いてトレイ開閉キーを操作すると、制御手段２０は、トレイ搬送手段５２に指示をして、ディスクトレイ５８を筐体２の内部に引き込んで、ディスクトレイ５８上のＤＶＤメディアＭをターンテーブル（図示せず）上に装着させる（図２（ｃ）に示す状態）。また、ユーザーにより、再度、トレイ開閉キーが操作されると、制御手段２０は、トレイ搬送手段５２に指示をして、ターンテーブルからＤＶＤメディアＭを離脱させ、ディスクトレイ５８を筐体２から排出させる。
【００５２】
排気シャッター９は、ディスクトレイ５８が筐体２の内部に収納されることにより、開口部３を閉塞し、ディスクトレイ５８の一部が筐体２より排出されることにより、開口部３を開放する（図２，図３参照）。トレイ搬送手段５２は、ディスクトレイ５８を筐体２に収納された状態、筐体２から完全に排出された状態、筐体２より一部が排出された状態の３つの状態間を移動させられるようになっている。
【００５３】
装着センサー５３は、ターンテーブルの近傍に配置され、ターンテーブルにＤＶＤメディアＭが装着されていることを検出して制御手段２０に通知する。
【００５４】
データ読取手段５４は、制御手段２０の指示に基づいて、ターンテーブル上に装着されたＤＶＤメディアＭをスピンドルモーター（図示せず）で回転させるとともに、光ピックアップ（図示せず）を走査して、ＤＶＤメディアＭに記録されているデータストリームを順次読み取る。このデータストリームは、符号化された画像情報や音声情報が多重化された情報であり、データ読取手段５４によって読み取られたデータストリームは、データ処理手段５５に順次出力される。
【００５５】
データ処理手段５５は、デマルチプレクサーやデコーダー等で構成され、制御手段２０の指示に基づいて、データ読取手段５４から入力されるデータストリームを画像情報と音声情報とに分離する処理や、分離した画像情報および音声情報をデコード（復号化）する処理等を行う。
【００５６】
データ処理手段５５は、復号化された画像情報および音声情報を信号入力手段１８に出力する。なお、ＤＶＤ再生手段５０が、ＤＶＤメディアＭからデータストリームを読み取って、このデータストリームに基づく画像情報および音声情報を出力することを、本明細書では「画像情報を再生する」又は「ＤＶＤを再生する」と表記する。
【００５７】
制御手段２０は、入力操作手段２３の再生キーの操作を受け付けると、ＤＶＤ再生手段５０に指示をして、画像情報および音声情報の再生を開始させ、入力操作手段２３の停止キーの操作を受け付けると、ＤＶＤ再生手段５０に指示をして、画像情報および音声情報の再生を停止させる。
【００５８】
装着センサー５３は、例えば、メカニカルスイッチ、光センサー、磁気センサー等の各種検出手段を用いて構成することができる。また、装着センサー５３は、上述した光ピックアップが受光する反射光の信号レベルによってＤＶＤメディアＭの装着の有無を検出する構成とすることも可能である。
【００５９】
画像信号処理手段１７は、制御手段２０の指示に基づき、信号入力手段１８から入力される画像信号を、液晶ライトバルブ１２Ｒ，１２Ｇ，１２Ｂの各画素の階調を表す画像データに変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００６０】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像データを記憶している。
【００６１】
制御手段２０が、ＯＳＤ画像の重畳表示を指示すると、ＯＳＤ処理手段１６は、必要なＯＳＤ画像データをＯＳＤメモリーから読み出し、投写画像上の所定の位置にＯＳＤ画像が重畳されるように、画像信号処理手段１７から入力される画像データにこのＯＳＤ画像データを合成する。ＯＳＤ画像データが合成された画像データは、液晶駆動手段１４に出力される。
なお、制御手段２０からＯＳＤ画像を重畳する旨の指示がない場合には、ＯＳＤ処理手段１６は、画像信号処理手段１７から入力される画像データを、そのまま液晶駆動手段１４に出力する。
【００６２】
液晶駆動手段１４が、ＯＳＤ処理手段１６より入力される画像データに従って液晶ライトバルブ１２Ｒ，１２Ｇ，１２Ｂを駆動すると、画像データに応じた画像光が投写レンズ１３より投写され、スクリーンＳＣの投写面に投写画像が表示される。
【００６３】
音声信号処理手段４０は、信号入力手段１８より入力された音声情報を制御手段２０の指示に基づいて増幅し、スピーカー４１に出力する。
【００６４】
スピーカー４１は、左スピーカー４１Ｌ、右スピーカー４１Ｒの左右一対で構成され、音声信号処理手段４０から入力される音声情報をユーザーに聞こえる可聴情報として出力する。
【００６５】
報知手段２４は、ＬＥＤ、ブザー等から構成され、制御手段２０の指示に基づき、プロジェクター１の各種動作状態を報知する。本実施形態では報知手段２４は、ディスクトレイ５８の一部が排出され、排気シャッター９が開口部３を開放し、ＤＶＤファン２９が動作している状態を報知する。
【００６６】
温度計測手段２５は、サーミスター等から構成され、筐体２の各部の温度を計測し、制御手段２０に通知する。
【００６７】
ファン制御手段２６は、制御手段２０の指示に基づき、吸気ファン２７、排気ファン２８、およびＤＶＤファン２９の回転を制御して、筐体２の内部の冷却を行う。具体的には、吸気ファン２７により吸気口７から取り込んだ空気を、排気ファン２８およびＤＶＤファン２９により、排気口８および開口部３から排出する。
【００６８】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００６９】
次に、本実施形態のプロジェクター１の動作を、図５のフローチャートを用いて説明する。図５は、プロジェクター１の温度監視処理動作を示すフローチャートである。
図５に示すように、プロジェクター１の温度監視処理が開始すると（ステップＳ１００）、制御手段２０は、温度計測手段２５により筐体２の内部の温度を計測する（ステップＳ１０１）。次に計測した内部の温度に基づき、ファン制御手段２６に指示して吸気ファン２７、および排気ファン２８の回転を制御して筐体２の内部の冷却を行い（ステップＳ１０１１）、ステップＳ１０２に遷移する。ステップＳ１０１が温度計測ステップに相当する。
【００７０】
ステップＳ１０２において制御手段２０は、筐体２の内部の温度が所定の警告温度を超えたか否かを調べる。内部の温度が警告温度を超えた場合（ステップＳ１０２：Ｙ）にはステップＳ１０３に遷移する。内部の温度が警告温度を超えていない場合（ステップＳ１０２：Ｎ）には、ステップＳ１１３に遷移する。警告温度が第１の温度に相当する。
【００７１】
ステップＳ１０３において、制御手段２０は、ＤＶＤ再生手段５０に指示してＤＶＤメディアＭの再生を停止させ、ステップＳ１０４に遷移する。
【００７２】
ステップＳ１０４において、制御手段２０は、トレイ搬送手段５２に指示してディスクトレイ５８の一部を筐体２より排出させる。これにより排気シャッター９が開口部３を開放する。次に、ステップＳ１０５に遷移する。ステップＳ１０４が搬送ステップに相当する。
【００７３】
ステップＳ１０５において、制御手段２０は、ファン制御手段２６に指示して、ＤＶＤファン２９を動作させ、ステップＳ１０６に遷移する。ステップＳ１０５が制御ステップに相当する。
【００７４】
ステップＳ１０６において、制御手段２０は、報知手段２４により、ＤＶＤファン２９が動作し、ＤＶＤメディアＭの周辺を冷却していることを報知させ、ステップＳ１０７に遷移する。
【００７５】
ステップＳ１０７において、制御手段２０は、温度計測手段２５により筐体２の内部の温度を計測し、ステップＳ１０８に遷移する。
【００７６】
ステップＳ１０８において、制御手段２０は、内部の温度が所定の再生開始温度より低いか否かを調べる。内部の温度が再生開始温度より低い場合（ステップＳ１０８：Ｙ）には、ステップＳ１０９に遷移する。内部の温度が再生開始温度より低くない場合（ステップＳ１０８：Ｎ）には、ステップＳ１０７に遷移する。再生開始温度が第２の温度に相当する。
【００７７】
ステップＳ１０９において、制御手段２０は、トレイ搬送手段５２に指示してディスクトレイ５８を筐体２に収納させる。これにより排気シャッター９が開口部３を閉塞する。次に、ステップＳ１１０に遷移する。ステップＳ１０９が搬送ステップに相当する。
【００７８】
ステップＳ１１０において、制御手段２０は、ファン制御手段２６に指示して、ＤＶＤファン２９を停止させ、ステップＳ１１１に遷移する。
【００７９】
ステップＳ１１１において、制御手段２０は、報知手段２４による報知を終了させ、ステップＳ１１２に遷移する。
【００８０】
ステップＳ１１２において、制御手段２０は、ＤＶＤ再生手段５０により、ＤＶＤメディアＭの再生を開始させ、ステップＳ１１３に遷移する。
【００８１】
ステップＳ１１３において、本動作フローを終了する。
【００８２】
上述した実施形態によれば、以下の効果を得られる。
本実施形態のプロジェクター１によれば、プロジェクター１の筐体２の内部の温度が上昇した時に、ディスクトレイ５８を筐体２より一部排出し、連動して排気シャッター９が開口部３を開放し、ＤＶＤファン２９により筐体２の内部の空気を、開放した開口部３を介して排出するので、ＤＶＤメディアＭの周辺を効果的に冷却し、ＤＶＤメディアＭが高温に晒されるのを防止する。また、ディスクトレイ５８が一部しか排出されないので、排出されたディスクトレイ５８が周囲の人や物にぶつかることを防止することができる。また、ディスクトレイ５８が筐体２に収納されているときは開口部３が排気シャッター９により閉塞されているので、筐体２への異物の侵入を防止することができる。
【００８３】
また、報知手段２４は、プロジェクター１の筐体２の内部の空気を開口部３から排出してＤＶＤメディアＭを冷却しているときに報知する。つまり、筐体２の内部の温度が警告温度（第１の温度）を超えたために、筐体２の内部の空気を開口部３から排出していることをユーザーに報知するので、ユーザーが誤って開口部３から排出される熱い空気に触れないように注意を促すことが可能となる。
【００８４】
また、プロジェクター１の筐体２の内部の温度が所定の再生開始温度（第２の温度）より低くなったとき、ディスクトレイ５８を筐体２に収納し、排気シャッター９により開口部３を閉塞するので、再度ＤＶＤメディアＭ内の画像情報や音声情報を再生させることが可能となる。また、ＤＶＤメディアＭが必要以上に冷やされることを防止することができる。
【００８５】
また、上記実施形態は、以下のように変更してもよい。
（変形例１）
上述した実施形態では、記憶媒体としてＤＶＤメディアＭについて説明したが、これに限るものでなく、例えばＢｌｕ−ｒａｙ（登録商標）ディスク、コンパクトディスクなどのようにディスクトレイ５８によってプロジェクター１の筐体２に収容されるものであればよい。
【符号の説明】
【００８６】
１…プロジェクター、２…筐体、３…開口部、６…入力端子、７…吸気口、８…排気口、９…排気シャッター、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…信号入力手段、２０…制御手段、２１…記憶手段、２２…光源制御手段、２３…入力操作手段、２４…報知手段、２５…温度計測手段、２６…ファン制御手段、２７…吸気ファン、２８…排気ファン、２９…ＤＶＤファン、３０…電源端子、３１…電源部、４０…音声信号処理手段、４１Ｌ，４１Ｒ…スピーカー、５０…ＤＶＤ再生手段、５２…トレイ搬送手段、５３…装着センサー、５４…データ読取手段、５５…データ処理手段、５８…ディスクトレイ、ＳＣ…スクリーン。
【図１】
2015025836.tif 000003
【図２】
2015025836.tif 000004
【図３】
2015025836.tif 000005
【図４】
2015025836.tif 000006
【図５】
2015025836.tif 000007